【手続補正書】
【提出日】平成15年11月17日(2003.11.17)
【手続補正１】
【補正対象書類名】明細書
【補正対象項目名】特許請求の範囲
【補正方法】変更
【補正の内容】
【特許請求の範囲】
【請求項１】
多値データで表現された基本画像を擬似階調表現する２値画像に変換する画像処理装置において、
前記基本画像を表現する各画素の値を順次、所定の閾値と比較し、該比較結果に従って２値化する２値化手段と、
前記２値化手段における２値化処理の方向を前記基本画像の１ライン毎に逆方向に変換する変換手段と、
前記２値化によって発生する誤差を所定サイズの誤差拡散マトリクスを適用して、注目画素の周辺画素に分配する分配手段と、
前記分配手段によって分配される誤差のうち、前記基本画像の外にはみ出す誤差を、前記２値化手段による２値化処理が未処理の領域に取り込む取込手段とを備えることを特徴とする画像処理装置。
【請求項２】
前記取込手段は、前記基本画像の一端で発生した前記はみ出し誤差を、該一端の反対側の端部における２値化処理が未処理の領域に取り込むことを特徴とする請求項１に記載の画像処理装置。
【請求項３】
前記基本画像の一部の画像からなる補助画像を前記基本画像に隣接させて結合画像を形成する結合手段をさらに有し、
前記結合画像に対して前記２値化手段による２値化、前記変換手段による２値化処理方向の変換、前記分配手段による誤差の分配、及び、前記取込手段による前記誤差の取り込みを行うことを特徴とする請求項１に記載の画像処理装置。
【請求項４】
前記取り込み後、前記補助画像のうち、前記基本画像と接するラインを含む第１の領域の画像データ値と、前記第１の領域に対応する前記基本画像中の第２の領域の画像データ値とを比較し、該比較結果をもとに前記第１及び前記第２の領域の画像データ値を補正する補正手段をさらに有することを特徴とする請求項３に記載の画像処理装置。
【請求項５】
前記補正手段による補正では、前記第１の領域の画像データ値と第２の領域の画像データ値とが同じである場合、該値をそのまま擬似階調値として使用し、前記第１の領域の画像データ値と第２の領域の画像データ値が異なる場合は、前記画像データが表す注目画素の周辺画素のデータ値をもとに補正した値を擬似階調値とすることを特徴とする請求項４に記載の画像処理装置。
【請求項６】
前記補正手段は、
前記周辺画素における元の多値データ値と、前記周辺画素における前記取込手段が誤差を取り込んだ後の２値データ値との差分値を求める差分値演算手段と、
前記差分値演算手段により求められた前記周辺画素の差分値を加重平均する加重平均手段と、
前記加重平均手段によって加重平均された値を、前記注目画素の多値データに加算する加算手段と、
前記加算手段により得られた加重平均値を所定の閾値と比較し、該比較結果に従って補正値を生成する補正値生成手段とを有することを特徴とする請求項５に記載の画像処理装置。
【請求項７】
前記２値画像を繰り返して記録媒体に記録する記録手段をさらに有し、
前記記録手段は、前記記録媒体に、前記２値画像を水平方向及び垂直方向に単純に繰り返して記録し、
前記結合手段は、前記水平方向と平行な方向にある前記基本画像の一辺に前記補助画像を隣接させ、
前記取込手段は、前記水平方向に前記誤差の取り込みを行うことを特徴とする請求項３に記載の画像処理装置。
【請求項８】
前記２値画像を繰り返して記録媒体に記録する記録手段をさらに有し、
前記記録手段は、前記記録媒体に、前記２値画像を垂直方向に前記２値画像の１／２のサイズだけずらして記録し、
前記結合手段は、前記垂直方向と直交する方向にある前記基本画像の一辺に前記補助画像を隣接させ、
前記取込手段は、前記補助画像が隣接した方向に前記誤差の取り込みを行うことを特徴とする請求項３に記載の画像処理装置。
【請求項９】
多値データで表現された基本画像を擬似階調表現する２値画像に変換する画像処理方法であって、
前記基本画像を表現する各画素の値を順次、所定の閾値と比較し、該比較結果に従って２値化する２値化工程と、
前記２値化工程における２値化処理の方向を前記基本画像の１ライン毎に逆方向に変換する変換工程と、
前記２値化によって発生する誤差を所定サイズの誤差拡散マトリクスを適用して、注目画素の周辺画素に分配する分配工程と、
前記分配工程によって分配される誤差のうち、前記基本画像の外にはみ出す誤差を、前記２値化工程における２値化処理が未処理の領域に取り込む取込工程とを備えることを特徴とする画像処理方法。
【請求項１０】
前記取込工程は、前記基本画像の一端で発生した前記はみ出し誤差を、該一端の反対側の端部における２値化処理が未処理の領域に取り込むことを特徴とする請求項９に記載の画像処理方法。
【請求項１１】
前記基本画像の一部の画像からなる補助画像を前記基本画像に隣接させて結合画像を形成する結合工程をさらに有し、
前記結合画像に対して前記２値化工程における２値化、前記変換工程における２値化処理方向の変換、前記分配工程における誤差の分配、及び、前記取込工程における前記誤差の取り込みを行うことを特徴とする請求項９に記載の画像処理方法。
【請求項１２】
前記取り込み後、前記補助画像のうち、前記基本画像と接するラインを含む第１の領域の画像データ値と、前記第１の領域に対応する前記基本画像中の第２の領域の画像データ値とを比較し、該比較結果をもとに前記第１及び前記第２の領域の画像データ値を補正する補正工程をさらに有することを特徴とする請求項１１に記載の画像処理方法。
【請求項１３】
前記補正工程における補正では、前記第１の領域の画像データ値と第２の領域の画像データ値とが同じである場合、該値をそのまま擬似階調値として使用し、前記第１の領域の画像データ値と第２の領域の画像データ値が異なる場合は、前記画像データが表す注目画素の周辺画素のデータ値をもとに補正した値を擬似階調値とすることを特徴とする請求項１２に記載の画像処理方法。
【請求項１４】
前記補正工程は、
前記周辺画素における元の多値データ値と、前記周辺画素における前記取込工程で誤差を取り込んだ後の２値データ値との差分値を求める差分値演算工程と、
前記差分値演算工程で求められた前記周辺画素の差分値を加重平均する加重平均工程と、
前記加重平均工程で加重平均された値を、前記注目画素の多値データに加算する加算工程と、
前記加算工程で得られた加重平均値を所定の閾値と比較し、該比較結果に従って補正値を生成する補正値生成構成とを有することを特徴とする請求項１３に記載の画像処理方法。
【請求項１５】
多値データで表現された基本画像を擬似階調表現する２値画像に変換する画像処理装置において、
前記基本画像の一部の画像からなる補助画像を前記基本画像に隣接させて結合画像を形成する結合手段と、
前記結合された画像を表現する各画素の値を順次、所定の閾値と比較し、該比較結果に従って２値化する２値化手段と、
前記２値化によって発生する誤差を所定サイズの誤差拡散マトリクスを適用して、注目画素の周辺画素に分配する分配手段と、
前記分配手段によって分配される誤差のうち、前記基本画像の外にはみ出す誤差を、前記２値化手段による２値化処理が未処理の領域に取り込む取込手段と、
２値化処理終了後、前記補助画像のうち、前記基本画像と接するラインを含む第１の領域の画像データ値と、前記第１の領域に対応する前記基本画像中の第２の領域の画像データ値とを比較し、該比較結果をもとに前記第１及び第２の領域の画像データ値を補正する補正手段とを有し、
前記補正手段は、
前記周辺画素における元の多値データ値と、前記周辺画素における前記取込手段が誤差を取り込んだ後の２値データ値との差分値を求める差分値演算手段と、
前記差分値演算手段により求められた前記周辺画素の差分値を加重平均する加重平均手段と、
前記加重平均手段によって加重平均された値を、前記注目画素の多値データに加算する加算手段と、
前記加算手段により得られた加重平均値を所定の閾値と比較し、該比較結果に従って補正値を生成する補正値生成手段とからなることを特徴とする画像処理装置。
【請求項１６】
多値データで表現された基本画像を擬似階調表現する２値画像に変換する画像処理方法において、
前記基本画像の一部の画像からなる補助画像を前記基本画像に隣接させて結合画像を形成する結合工程と、
前記結合された画像を表現する各画素の値を順次、所定の閾値と比較し、該比較結果に従って２値化する２値化工程と、
前記２値化によって発生する誤差を所定サイズの誤差拡散マトリクスを適用して、注目画素の周辺画素に分配する分配工程と、
前記分配工程によって分配される誤差のうち、前記基本画像の外にはみ出す誤差を、前記２値化工程による２値化処理が未処理の領域に取り込む取込工程と、
２値化処理終了後、前記補助画像のうち、前記基本画像と接するラインを含む第１の領域の画像データ値と、前記第１の領域に対応する前記基本画像中の第２の領域の画像データ値とを比較し、該比較結果をもとに前記第１及び第２の領域の画像データ値を補正する補正工程とを有し、
前記補正工程は、
前記周辺画素における元の多値データ値と、前記周辺画素における前記取込工程が誤差を取り込んだ後の２値データ値との差分値を求める差分値演算工程と、
前記差分値演算工程で求められた前記周辺画素の差分値を加重平均する加重平均工程と、
前記加重平均工程で加重平均された値を、前記注目画素の多値データに加算する加算工程と、
前記加算工程で得られた加重平均値を所定の閾値と比較し、該比較結果に従って補正値を生成する補正値生成工程とからなることを特徴とする画像処理方法。
【手続補正２】
【補正対象書類名】明細書
【補正対象項目名】００１６
【補正方法】変更
【補正の内容】
【００１６】
【課題を解決するための手段】
上述した目的を達成するべく本発明の画像処理装置は、多値データで表現された基本画像を擬似階調表現する２値画像に変換する画像処理装置において、前記基本画像を表現する各画素の値を順次、所定の閾値と比較し、該比較結果に従って２値化する２値化手段と、前記２値化手段における２値化処理の方向を前記基本画像の１ライン毎に逆方向に変換する変換手段と、前記２値化によって発生する誤差を所定サイズの誤差拡散マトリクスを適用して、注目画素の周辺画素に分配する分配手段と、前記分配手段によって分配される誤差のうち、前記基本画像の外にはみ出す誤差を、前記２値化手段による２値化処理が未処理の領域に取り込む取込手段とを備えることを特徴とする。


【手続補正３】
【補正対象書類名】明細書
【補正対象項目名】００１７
【補正方法】変更
【補正の内容】
【００１７】
また、本発明の画像処理方法は、多値データで表現された基本画像を擬似階調表現する２値画像に変換する画像処理方法であって、前記基本画像を表現する各画素の値を順次、所定の閾値と比較し、該比較結果に従って２値化する２値化工程と、前記２値化工程における２値化処理の方向を前記基本画像の１ライン毎に逆方向に変換する変換工程と、前記２値化によって発生する誤差を所定サイズの誤差拡散マトリクスを適用して、注目画素の周辺画素に分配する分配工程と、前記分配工程によって分配される誤差のうち、前記基本画像の外にはみ出す誤差を、前記２値化工程における２値化処理が未処理の領域に取り込む取込工程とを備えることを特徴とする。


【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】